(57)【要約】【課題】拡散吹出口を備える車両用空調装置いおいて、室内全域に快適な空間を創出すること可能にする。【解決手段】拡散吹出口３を構成する穴３ａが設けられたプレート６を回転させる。これにより、拡散吹出口３から吹き出される空調風の吹出方向及び吹出風量分布等の吹出状態を変更することができるので、例えば穴３ａの位置が動くことで気流が変化して「ゆらぎ効果」等を得ることができる。したがって、例えば運転席側と助手席側と、又は前席側と後席側乗員とは、快適と感ずる空気温度及び風量（風速）が相違する場合であっても、室内全域に快適な空間を創出することができ得る。【選択図】        図４
2004314748.tif 000002
【特許請求の範囲】
【請求項１】
多数個の穴（３ａ）から空調風を車室内に拡散させるように吹き出させる拡散吹出口（３）を有する車両用空調装置において、
前記拡散吹出口（３）から吹き出される空調風の吹出方向、及び吹出風量分布のうち少なくとも一方を変更させる吹出状態変更手段（６、７）を備えることを特徴とする車両用空調装置。
【請求項２】
多数個の穴（３ａ）から空調風を車室内に拡散させるように吹き出させる拡散吹出口（３）を有する車両用空調装置において、
前記拡散吹出口（３）から吹き出される空調風の吹出状態を変更する吹出状態変更手段（６、７）を備えることを特徴とする車両用空調装置。
【請求項３】
前記吹出状態変更手段（６、７）は、前記多数個の穴（３ａ）が形成されたプレート（６）を動かすことにより吹出状態変更することを特徴とする請求項１又は２に記載の車両用空調装置。
【請求項４】
前記多数個の穴（３ａ）は、穴径が異なる複数種類の穴にて構成されていることを特徴とする請求項１ないし３のいずれか１つに記載の車両用空調装置。
【請求項５】
前記多数個の穴（３ａ）は、開口面積密度が部位によって異なるように構成されていることを特徴とする請求項１ないし３のいずれか１つに記載の車両用空調装置。
【請求項６】
前記多数個の穴（３ａ）は、穴の開口方向が前記プレート（６）の板厚方向と交差するように形成されていることを特徴とする請求項１ないし３のいずれか１つに記載の車両用空調装置。
【発明の詳細な説明】
【０００１】
【発明の属する技術分野】
本発明は、多数個の穴から空調風を車室内に拡散させるように吹き出させる拡散吹出口を有する車両用空調装置に関するものである。
【０００２】
【従来の技術及び発明が解決しようとする課題】
フェイス吹出口等から局所的（スポット的）に乗員に空調風を吹き付けると、乗員が不快感（ドラフト感）を覚える場合があるので、この不快感を低減すべく、出願人は、天井やインストルメントパネル（計器盤）に設けた多数個の穴から空調風を拡散させるように吹き出させる拡散吹出口を有する車両用空調装置を既に出願している（例えば、特願２００２−３２２６６６号）。
【０００３】
ところで、拡散吹出口は空調風を拡散させるように吹き出させるので、フェイス吹出口等の空調風を局所的に吹き出す吹出口による空調に比べて、車室内の温度分布や風速分布を容易に均一にするこができる。
【０００４】
しかし、例えば運転席側と助手席側と、又は前席側と後席側乗員とは、快適と感ずる空気温度及び風量（風速）が相違する場合があるので、上記出願に係る拡散吹出口を備える車両用空調装置では、室内全域に快適な空間を創出することが難しい場合がある。
【０００５】
本発明は、上記点に鑑み、第１には、従来と異なる新規な車両用空調装置を提供し、第２には、拡散吹出口を備える車両用空調装置いおいて、室内全域に快適な空間を創出すること可能にすることを目的とする。
【０００６】
【課題を解決するための手段】
本発明は、上記目的を達成するために、請求項１に記載の発明では、多数個の穴（３ａ）から空調風を車室内に拡散させるように吹き出させる拡散吹出口（３）を有する車両用空調装置において、拡散吹出口（３）から吹き出される空調風の吹出方向、及び吹出風量分布のうち少なくとも一方を変更させる吹出状態変更手段（６、７）を備えることを特徴とする。
【０００７】
これにより、「ゆらぎ効果」等を得ることができるので、例えば運転席側と助手席側と、又は前席側と後席側乗員とで快適と感ずる空気温度及び風量（風速）が相違する場合であっても、室内全域に快適な空間を創出することができ得る。
【０００８】
請求項２に記載の発明では、多数個の穴（３ａ）から空調風を車室内に拡散させるように吹き出させる拡散吹出口（３）を有する車両用空調装置において、拡散吹出口（３）から吹き出される空調風の吹出状態を変更する吹出状態変更手段（６、７）を備えることを特徴とする。
【０００９】
これにより、「ゆらぎ効果」等を得ることができるので、例えば運転席側と助手席側と、又は前席側と後席側乗員とで快適と感ずる空気温度及び風量（風速）が相違する場合であっても、室内全域に快適な空間を創出することができ得る。
【００１０】
請求項３に記載の発明では、吹出状態変更手段（６、７）は、多数個の穴（３ａ）が形成されたプレート（６）を動かすことにより吹出状態変更することを特徴とするものである。
【００１１】
請求項４に記載の発明では、多数個の穴（３ａ）は、穴径が異なる複数種類の穴にて構成されていることを特徴とするものである。
【００１２】
請求項５に記載の発明では、多数個の穴（３ａ）は、開口面積密度が部位によって異なるように構成されていることを特徴とするものである。
【００１３】
請求項６に記載の発明では、多数個の穴（３ａ）は、穴の開口方向がプレート（６）の板厚方向と交差するように形成されていることを特徴とするものである。
【００１４】
因みに、上記各手段の括弧内の符号は、後述する実施形態に記載の具体的手段との対応関係を示す一例である。
【００１５】
【発明の実施の形態】
（第１実施形態）
図１は本実施形態に係る車両用空調装置における天井吹出用の拡散吹出口を示す模式図であり、図２は天井吹出用の拡散吹出口から吹き出される空調風の状態を示す図である。
【００１６】
そして、本実施形態に係る車両用空調装置は、図１に示すように、計器盤内に搭載されて主に前席側の空調を行う前席用空調ユニット、トランクルーム内に搭載されて主に後席側の空調を行う後席用空調ユニット１、及びエンジンルームに搭載された室外ユニット等から構成されている。
【００１７】
なお、両空調ユニットは、送風機、室内に吹き出す空気を冷却する冷却手段をなす蒸発器、室内に吹き出す空気を加熱するヒータ、空気を吹き出させる開口部を切り換える吹出モード切替ユニット、及びこれらを収納して空気通路を構成する空調ケーシング等から構成されたものである。
【００１８】
また、室外ユニットは、蒸気圧縮式冷凍機を構成する圧縮機及び放熱器等から構成されたもので、本実施形態に係る圧縮機は、走行用エンジンから動力を得て稼動する。
【００１９】
そして、車室内天井部の略全域には、多数個の穴３ａから空調風を車室内に拡散させるように吹き出させる拡散吹出口３が設けられており、本実施形態では、後席側空調ユニット１から空調風が拡散吹出口３に供給される。
【００２０】
なお、拡散吹出口３、つまり多数個の穴３ａが設けられた天井部ダクト４ａは、リアガラス側にて天井を支える支柱部であるＣピラー５内に敷設されたダクト４ｂを介して後席側空調ユニット１に接続されている。
【００２１】
また、拡散吹出口３を構成する多数個の穴３ａは、回転可能に天井部ダクト４ａに配置された略円盤状のプレート６に設けられており、このプレート６は、図４に示すように、サーボモータ等のアクチュエータ７により回転駆動される。
【００２２】
なお、アクチュエータ７は、モータ７ａ、複数枚の歯車７ｂ等からなる減速機構及びこれら７ａ、７ｂを収納するケーシング７ｃ等からなるもので、その作動は、空調装置用電子制御装置により制御される。
【００２３】
以上の説明からも明らかなように、本実施形態では、プレート６及びアクチュエータ７等により拡散吹出口３から吹き出される空調風の吹出状態を変更する吹出状態変更手段が構成される。
【００２４】
次に、本実施形態の作用効果を述べる。
【００２５】
本実施形態では、プレート６を回転させることにより、拡散吹出口３から吹き出される空調風の吹出方向及び吹出風量分布等の吹出状態を変更することができるので、例えば穴３ａの位置が動くことで気流が変化して「ゆらぎ効果」等を得ることができる。
【００２６】
したがって、例えば運転席側と助手席側と、又は前席側と後席側乗員とで快適と感ずる空気温度及び風量（風速）が相違する場合であっても、室内全域に快適な空間を創出することができ得る。
【００２７】
（第２実施形態）
第１実施形態では、穴３ａの開口方向がプレート６の板厚方向と平行であったが、本実施形態は、図５に示すように、開口方向がプレート６の板厚方向と交差するように傾斜させたものである。
【００２８】
これにより、図６に示すように、拡散吹出口３から吹き出す気流が更に変化させることができるので、「ゆらぎ効果」を高めることができる。
【００２９】
（第３実施形態）
第１実施形態では、穴径の等しいの穴３ａを等密度で設けることにより、拡散吹出口３の開口面積密度を略全域で均一としたが、本実施形態は、図７に示すように、穴径が異なる複数種類の穴３ａにて拡散吹出口３を構成するとともに、拡散吹出口３の開口面積密度が部位によって相違させたものである。
【００３０】
これにより、プレート６を連続的に回転させれば、更に大きな「ゆらぎ効果」を得ることができ得る。
【００３１】
また、プレート６を所定の位置まで回転させて停止させれば、温度分布及び風速分布を積極的に偏らせることができ得る。
【００３２】
（その他の実施形態）
上述の実施形態では、天井部に拡散吹出口３及び吹出状態変更手段を設けたが、本発明はこれに限定されるものではなく、例えばインストルメントパネルなどその他の部位に拡散吹出口３を設けてもよい。
【００３３】
また、上述の実施形態では、後席側空調ユニット１から拡散吹出口３に空調風が供給されたが、本発明はこれに限定されるものではなく、前席側空調ユニットから拡散吹出口３に空調風を供給してもよい。
【００３４】
また、上述の実施形態では、プレート６が円盤状であったが、本発明はこれに限定されるものではなく、その他形状であってもよい。
【００３５】
また、プレート６を動かすアクチュエータ７は、上述の実施形態に示されたものに限定されるものはない。
【００３６】
また、アクチュエータ７の作動は目標吹出温度ＴＡＯ又は吹出モードと連動した自動制御又は手動スイッチ等による手動制御のいずれであってもよい。
【図面の簡単な説明】
【図１】本発明の実施形態に係る車両用空調装置における天井吹出用の拡散吹出口を示す模式図である。
【図２】本発明の第１実施形態に係る車両用空調装置における天井吹出用の拡散吹出口から吹き出される空調風の状態を示す図である。
【図３】本発明の第１実施形態に係るプレートの斜視図である。
【図４】本発明の第１実施形態に係る吹出状態変更機構を示す図である。
【図５】本発明の第２実施形態に係るプレートの斜視図である。
【図６】本発明の第２実施形態に係る車両用空調装置における天井吹出用の拡散吹出口から吹き出される空調風の状態を示す図である。
【図７】本発明の第３実施形態に係るプレートの斜視図である。
【図８】本発明の第３実施形態に係る車両用空調装置における天井吹出用の拡散吹出口から吹き出される空調風の状態を示す図である。
【符号の説明】
３…拡散吹出口、３ａ…穴、４ａ…天井部ダクト、
６…プレート、７…アクチュエータ。
【図１】
2004314748.tif 000003
【図２】
2004314748.tif 000004
【図３】
2004314748.tif 000005
【図４】
2004314748.tif 000006
【図５】
2004314748.tif 000007
【図６】
2004314748.tif 000008
【図７】
2004314748.tif 000009
【図８】
2004314748.tif 000010